(57)【要約】【課題】  ドレンホースの排水管への取付作業を、容易かつ確実に行えるようにすると共に、ドレンホースと排水管とのシール性を十分に保持するようにした空気調和機を提供する。【解決手段】  室内機に内蔵されたドレンパン１１を有し、このドレンパン１１の外方へ突出して設けられた排水管１２にドレンホース１３を取り付けるようにした空気調和機において、前記排水管１２の近傍に取付ねじ３２を固定するためのねじ孔部１５を設け、ドレンホース１３は取付具３１を用いて排水管１２へ取り付けられ、前記取付具３１は前記取付ねじ３２のねじ部３２ｂを挿通する固定部と、ドレンホース１３を外嵌する締付部とを有する。【選択図】      図２
2004245570.tif 000002
【特許請求の範囲】
【請求項１】
室内機に内蔵されたドレンパンを有し、このドレンパンの外方へ突出して設けられた排水管にドレンホースを取り付けるようにした空気調和機において、
前記排水管の近傍に取付ねじを固定するためのねじ孔部を設け、ドレンホースは取付具を用いて排水管へ取り付けられ、前記取付具は前記取付ねじのねじ部を挿通する固定部と、ドレンホースを外嵌する締付部とを有することを特徴とする空気調和機。
【請求項２】
前記ドレンホースには前記取付具の締付部を嵌合する環状の溝を備え、前記締付部は一部に切れ目のある環状をして、弾力性のあるばね材で作られたことを特徴とする請求項１に記載の空気調和機。
【請求項３】
前記取付具はだるま形をしていることを特徴とする請求項１または２に記載の空気調和機。
【請求項４】
前記取付具は８の字形をしていることを特徴とする請求項１または２に記載の空気調和機。
【発明の詳細な説明】
【技術分野】
【０００１】
本発明は、ドレンパンの排水管にドレンホースを取り付けるようにした空気調和機に関する。
【背景技術】
【０００２】
一般に、例えば、空気調和機の壁掛け形室内機の内部には熱交換器や送風機等が収納され、熱交換器の下側にはドレンパンが配設されている。このドレンパンは横に細長く形成され、その長手方向の両端の底部にはそれぞれ外方に突出する排水管が設けられている。これら排水管のうちいずれか一方の排水管にはフレキシブルなドレンホースが取り付けられ、他方の排水管には閉塞栓が取り付けられている（例えば、特許文献１参照。）。
【特許文献１】特開２００１−６５９０６
【発明の開示】
【発明が解決しようとする課題】
【０００３】
ところで、排水管を２個設けているのは、室内機の室内への取付状況に応じて、ドレンホースの引き出す方向を任意に選択できるようにするためで、ドレンホース及び閉塞栓は、室内機を据え付ける際に、付け替えられるようになっている。このため、排水管へのドレンホースの取付は、容易に、かつ確実に付け替えられるようにする必要がある。
【０００４】
また、ドレンホースと排水管とのシール性は重要な課題であり、空気調和機を長期間使用しても水漏れが生じないようにすることが要求されている。
【０００５】
本発明の目的は、上述した従来の課題を解消するためになされたものであり、ドレンホースと排水管とのシール性を十分に保持するようにすると共に、ドレンホースの排水管への取付作業（付替え作業）を、容易かつ確実に行えるようにした空気調和機を提供することにある。
【課題を解決するための手段】
【０００６】
上記目的を達成ために、請求項１に記載の発明は、室内機に内蔵されたドレンパンを有し、このドレンパンの外方へ突出して設けられた排水管にドレンホースを取り付けるようにした空気調和機において、前記排水管の近傍に取付ねじを固定するためのねじ孔部を設け、ドレンホースは取付具を用いて排水管へ取り付けられ、前記取付具は前記取付ねじのねじ部を挿通する固定部と、ドレンホースを外嵌する締付部とを有することを特徴とする。
【０００７】
請求項２に記載の発明は、請求項１に記載の空気調和機において、前記ドレンホースには前記取付具の締付部を嵌合する環状の溝を備え、前記締付部は一部に切れ目のある環状をして、弾力性のあるばね材で作られたことを特徴とする。
【０００８】
請求項３に記載の発明は、請求項１または２に記載の空気調和機において、前記取付具はだるま形をしていることを特徴とする。
【０００９】
請求項４に記載の発明は、請求項１または２に記載の空気調和機において、前記取付具は８の字形をしていることを特徴とする。
【発明の効果】
【００１０】
本発明の空気調和機は、取付具を用いて排水管にドレンホースを接続しており、この取付具はドレンホースに嵌合される締付部と取付ねじのねじ部を挿通してドレンパンに固定する固定部とを有するので、ドレンホースを排水管に確実に、かつ容易に固定することができる。
【００１１】
また、取付具はばね材を用いているので、取付具の締付部がドレンホース及び排水管を押圧しドレンホースと排水管とのシール性を良好に保つことができる。
【実施例１】
【００１２】
以下、本発明の一実施例を図面に基づいて説明する。
【００１３】
図１は、空気調和機の壁掛け型室内機の側断面図である。この壁掛け型室内機１０は、本体ケース１と、この本体ケース１に取り付けられる前面パネル３及び天面パネル５とを備えている。前面パネル３には前面吸気口４を有し、天面パネ
ル５には上面吸気口６を有している。
【００１４】
前記本体ケース１は、合成樹脂を材料として横長に形成され、この本体ケース１内の略中心位置には長手方向に延設されたクロスフローファン（送風機）９が設けられ、このクロスフローファン９と前面吸気口４及び上面吸気口６との間に熱交換器７が配設されている。
【００１５】
この熱交換器７は、３つのブロックからなり、クロスフローファン９を包むように概略「く」字状及び「へ」字状に形成されて、紙面に直交する方向に細長くなっている。
【００１６】
この熱交換器７の下側には、当該熱交換器７で結露して滴下する水を受け止めるためのドレンパン１１が設けられており、このドレンパン１１は合成樹脂にて横に細長く形成され本体ケース１に固定されている。ドレンパン１１の下部両端２ヵ所には、それぞれ後下方に突出する円筒状の排水管１２が設けられている。
【００１７】
図２はドレンパンの一方の排水管周辺を後方から見た斜視図である。
【００１８】
図２において、符号１２は前述した排水管のうち、室内機の前方から見て右側の排水管を示している。この排水管１２の外周にはリブ１４が設けられ、このリブ１４の位置までドレンホース１３を挿入するようになっている。また、排水管１２は左右の排水管のうちいずれか一方を選択してドレンホース１３を取り付けるようになっており、右側の排水管１２にドレンホース１３が取り付けられる場合には、図示しない左側の排水管に閉塞栓（図示せず）が取り付けられる。この閉塞栓はゴム製で、その外周が排水管の内周に接して水蜜に取り付られる。
【００１９】
また、この排水管１２に近傍にはねじ孔部１５が設けられている。このねじ孔部１５は、円筒形のボスの中央にねじ止め用の孔が形成され、排水管１２と同じ角度でドレンパン１１の後斜め下方に突出している。
【００２０】
なお、本実施例ではドレンパン１１の右部で説明しているが、ドレンパン１１の左部も同様の構成である。
【００２１】
図３はドレンホース及び取付具を示す分解斜視図である。
【００２２】
図３において、ドレンホース１３は、排水管１２に取り付けるための取付部２１と、その内部をドレン水が通過するためのホース部２２と、このドレンホース１３の図示しない他端側に接続される延長用ドレンホースに接続するための接続部（図示せず）とから構成されている。また取付部２１は排水管１２（図２参照）に固定される固定部分２４と、この固定部分２４に挿嵌され、排水管１２の外周に接してその接触部分をシー
ルするシール部分２５とで構成されている。固定部分２４は、ポリプロピレンを材質として円筒形状に形成され、ドレンパン１１側の端部に近接して外周には環状の溝２６が形成され、ホース部２２側の端部が階段状に縮径された形状に形成されている。
【００２３】
前記ホース部２２は、ポリプロピレンを材質としてフレキシブルに作られ、ホース部２２の外周には断熱材が接着されて蛇腹形状に形成されている。
【００２４】
前記シール部分２５は軟質のＥＰＭゴム等の材質で構成されており、固定部分２４の内側に嵌入され、接着剤を使わずにしっかりと固定される。そしてシール部分２５の内径が排水管１２の外周に水密に嵌合されるようになっている。このシール部分２５の外周には、固定部分２４の環状溝２６に対応する位置に環状溝２６の溝より幅の広い環状の凹部２７が形成されている。
【００２５】
図２、図３において、符号３１は、ドレンホース１３を排水管１２に取り付ける際に用いる取付具、符号３２は取付ねじである。取付具３１は弾力性のある線状のばね材をだるま形に加工して作られ、大小２つのリング部３３、３４を有している。大リング部（締付部）３３の直径は、環状溝２６の底部直径より少し小さく作られ、大リング部３３を環状溝２６に外嵌したときにくい込むようになっている。小リング部（固定部）３４の直径は、取付ねじ３２のねじ部３２ｂの直径より少し大きく頭部３２ａの直径より小さくなっている。また大リング部３３には切れ目３５が設けられ、この切れ目３５により大リング部３３が広がり環状溝２６へ嵌入することができ、環状溝２６への着脱を容易にしている。
【００２６】
以上のように構成されたドレンパン１１及びドレンホース１３において、ドレンホース１３をドレンパン１１に取り付ける場合、環状溝２６に大リング部３３を嵌め込んでおく。次にドレンホース１３を排水管１２に差し込み、ドレンホース１３の一端が排水管１２のリブ１４に接するまで挿入する。小リング部３４とネジ孔部１５との位置を合わせ、取付ねじ３２を小リング部３４に挿通してネジ孔部１５にねじ止め固定する。
【００２７】
このようにして排水管１２にドレンホース１３を固定するので、ドレンホース１３はドレンパン１１に確実に、かつ容易に固定される。また、取付具３１がばね材で作られており、この取付具３１が取付部２１の外周からシール部分２５を介して排水管１２に押圧するので、取付部２１が排水管１２に密着してドレンホース１３と排水管１２とのシール性が十分に発揮される。
【００２８】
また、ドレンホース１３は取付ねじ３２を付け外しすることにより排水管１２への着脱を行うことができるので、左右の排水管１２への付け替えも簡単に行うことができる。（通常、工場出荷時、ドレンホース１３は右側の排水管１２に接続されている。）
以上、一実施例に基づいて、本発明を説明したが、本発明はこれに限定されるものでない。
【００２９】
本実施例では、取付具３１はだるま形状に形成しているが、取付具は大小２つのリング部を有する８の字形状にして作っても良い。
【００３０】
また、本実施例では、壁掛け形室内機で説明しているが、天井埋込形や床置き形等の他のタイプの空気調和機であっても良い。
【図面の簡単な説明】
【００３１】
【図１】本発明の一実施例における空気調和機の壁掛け型室内機の側断面図である。
【図２】図１のドレンパンの排水管周辺を後方から見た斜視図である。
【図３】ドレンホース及び取付具を示す分解斜視図である。
【符号の説明】
【００３２】
１  本体ケース
７  熱交換器
９  クロスフローファン（送風機）
１０  室内機
１１  ドレンパン
１２  排水管
１３  ドレンホース
１５  ねじ孔部
２１  取付部
２２  ホース部
２４  固定部分
２５  シール部分
２６  環状溝
３１  固定具
３２  取付ねじ
３３  大リング部（締付部）
３４  小リング部（固定部）
３５  切れ目
【図１】
2004245570.tif 000003
【図２】
2004245570.tif 000004
【図３】
2004245570.tif 000005